(57)【要約】【課題】化粧料を納めた繰り出し式の化粧料容器に対して自分好みの装飾を施せるような飾り具を提案する。【解決手段】内部に送りネジ機構を設けた胴部１１を有し、該胴部１１の底側に送りネジ機構の操作つまみ１２が設けられ且つ口側にキャップ１３が着脱されるようになっている化粧料容器１０の飾り具１であり、胴部１１の外周に嵌合可能な内径ｒをもち且つ胴部１１外周面を覆い隠すことの可能な軸方向長さｄをもつ筒体２を含んで構成され、該筒体２の外周面に装飾３を施してあることを特徴とする。【選択図】図１
0003136213.tif 000002
【実用新案登録請求の範囲】
【請求項１】
内部に送りネジ機構を設けた胴部を有し、該胴部の底側に前記送りネジ機構の操作つまみが設けられ且つ口側にキャップが着脱されるようになっている化粧料容器の飾り具であって、
前記胴部外周に嵌合可能な内径をもち且つ前記胴部外周面を覆い隠すことの可能な軸方向長さをもつ筒体を含んで構成され、
該筒体の外周面に装飾を施してあることを特徴とする飾り具。
【請求項２】
前記筒体は、前記胴部に嵌合させたときに前記操作つまみが露出して回転操作可能であると共に前記キャップをつまんで着脱させることが可能な軸方向長さとされることを特徴とする請求項１記載の飾り具。
【請求項３】
前記筒体外周面の装飾として、宝石を象った装飾パーツを接着してあることを特徴とする請求項１又は請求項２記載の飾り具。
【請求項４】
前記筒体の前記装飾パーツ間に、粉末状装飾材を接着してあることを特徴とする請求項３記載の飾り具。
【考案の詳細な説明】
【技術分野】
【０００１】
本考案は、棒口紅やリップクリームなどを収めた化粧料容器を装飾するための飾り具に関する。
【背景技術】
【０００２】
棒口紅やリップクリームなどの円柱状化粧料は、特許文献１にあるような繰り出し式の化粧料容器に収められている。すなわち、円筒状胴部の内部に送りネジ機構を設け、該送りネジ機構に従い軸方向へ往復動作可能にして円柱状化粧料を納めてあり、その送りネジ機構を回転させる操作つまみを胴部の底側に設けた構成である。また、化粧料が出入りする胴部の口側には、キャップを着脱できるようになっている。
【特許文献１】実開平０５−０２９９７９号公報
【考案の開示】
【考案が解決しようとする課題】
【０００３】
現在、特にリップクリームについては、上記のような化粧料容器の胴部外周面（露出面）に商標及びメーカー名を印刷してあるものがほとんどで、装飾性の高いものは、値段の制約もあってか見受けられない。本考案はこの点に着目し、円筒状化粧料を納めた繰り出し式の化粧料容器に対して自分好みの装飾を施せるような飾り具を提案するものである。
【課題を解決するための手段】
【０００４】
本考案では、内部に送りネジ機構を設けた胴部を有し、該胴部の底側に送りネジ機構の操作つまみが設けられ且つ口側にキャップが着脱されるようになっている化粧料容器の飾り具を提案する。当該飾り具は、化粧料容器の胴部外周に嵌合可能な内径をもち且つその胴部外周面を覆い隠すことの可能な軸方向長さをもつ筒体を含んで構成され、該筒体の外周面に装飾を施してあることを特徴とする。
【考案の効果】
【０００５】
本考案の飾り具は、化粧料容器の胴部外周面を覆い隠し、自身の筒体外周面に施された装飾により、化粧料容器の胴部を飾ることができる。したがって、自分の好みに合う装飾を施した飾り具を用意しておけば、これを化粧料容器に装着することで自分好みに飾り立てることができる。また、本考案の飾り具は、胴部嵌合式、つまり化粧料容器に対し着脱可能なので、１本もっていれば複数の化粧料容器に適用可能であるし、逆に、装飾の異なる飾り具を複数種類もっていれば、そのときの気分次第で化粧料容器に着せ替えることも可能であり、多様な装飾を楽しむことができる。
【考案を実施するための最良の形態】
【０００６】
図１及び図２に、本考案の好適な実施形態について図示している。
【０００７】
飾り具１は、樹脂製や金属製の筒体２と、該筒体２の外周面に接着した多数の装飾パーツ３と、を含んで構成されている。装飾パーツ３は、宝石を象ってハート形やダイヤモンド形などとした樹脂製パーツで、接着剤により貼り付けてある。これにより、現代の１０代女子にとって特に装飾性の高い興味をそそるデザインに仕上げられている。筒体２外周面の装飾は、印刷による模様等でも良いが、装飾パーツ３による立体的装飾のほうがより目立つ。また、いっそう高級感を出したいような場合は、装飾パーツ３をガラス製や金属製としたりすることもできる。
【０００８】
本実施形態の場合、さらに、筒体２の装飾パーツ３間に、粉末状装飾材４を接着してある。粉末状装飾材４は、いわゆる“ラメ”と呼ばれているもので、装飾パーツ３の間にこれがあることで、よりきらびやかな感じを増すことができている。このような粉末状装飾材４は、たとえば、接着剤に混ぜ込んで筒体２の表面に塗布するなどの手法で接着することができる。
【０００９】
当該飾り具１を装着する化粧料容器１０は、たとえばリップクリームの容器で、上述のように、内部に送りネジ機構を設けた胴部１１を有し、該胴部１１の底側に送りネジ機構の操作つまみ１２が設けられている。また、胴部１１の口側は、キャップ１３を着脱できるようになっている。
【００１０】
飾り具１の筒体２は、このような化粧料容器１０の胴部１１外周に嵌合可能な内径ｒをもっており、その嵌合で装着状態が維持されるけれども、手でもって引き抜くことができるものとされる。また、筒体２の軸方向長さｄは、化粧料容器１０の胴部１１外周面、つまり、商標やメーカー名が印刷されている胴部１１の露出面を覆い隠すことの可能な長さをもつ。
【００１１】
筒体２の軸方向長さｄは、本実施形態の場合は胴部１１の外周面の軸方向長さとほぼ同じ長さとしてあり、筒体２を胴部１１に嵌合させたときに操作つまみ１２が露出して回転操作可能であると共に、キャップ１３をつまんで着脱させることが可能な長さとしてある。したがって、胴部１１を覆い隠す飾り具１を化粧料容器１０に装着したままでも、キャップ１３を外し、操作つまみ１３を回転させて化粧料を繰り出すことができるようになっている。
【００１２】
なお、筒体２の内径が胴部１１の外径よりも若干大きいような場合は、胴部１１の外周面にテープを貼って外径調整することで、所望の嵌合状態を得ることができるので、筒体２の内径値は、胴部１１の外径に対してそれほど精度は要求されない。
【００１３】
以上のような飾り具１は、化粧料容器１０に装着することで胴部１１の外周面を覆い隠し、筒体２の外周面に接着された装飾パーツ３及び粉末状装飾材４により、胴部１１を飾り立てる。したがって、好みの装飾を施した飾り具１を用意しておけば、これを化粧料容器１０に装着することで自分好みに飾り立てることができる。また、飾り具１は取り外して使い回すことが可能なので、１本もっていれば複数の化粧料容器１０に適用可能である。逆に、装飾の異なる飾り具１を複数種類もっていれば、そのときの気分次第で一つの化粧料容器１０に着せ替えることも可能であり、多様な装飾を楽しむことができる。
【図面の簡単な説明】
【００１４】
【図１】本考案に係る飾り具の実施形態を示した図。
【図２】図１の飾り具を化粧料容器に嵌合させた状態で示す図。
【符号の説明】
【００１５】
１  飾り具
２  筒体
３  装飾パーツ
４  粉末状装飾材
１０  化粧料容器
１１  胴部
１２  操作つまみ
１３  キャップ
【図１】
0003136213.tif 000003
【図２】
0003136213.tif 000004